(57)【要約】【課題】  同軸プラグが螺着された際に回転することのない構成の同軸コネクタとする。【解決手段】  コネクタ本体１０の外周面にはネジ部１０ａが形成されていると共に下端に拡径された拡径部と幅が広くされた鍔部１１が形成されている。拡径部には一部が切り取られた回り止め用のＨカット部１２ａが形成されており、該Ｈカット部１２ａの側面に上端に向かって幅が狭くなる斜面が形成されている。シャーシ金具５０に形成された平行カット部を有する取付穴にコネクタ本体１０を挿通し、コネクタ本体１０のネジ部１０ａにナット４０を螺着する。この際に、Ｈカット部１２ａに形成された斜面が取付穴の平行カット部に喰い込むようになり、ガタが生じることなく同軸コネクタ１をシャーシ金具５０に取り付けられるようになる。【選択図】  図７
2008282706.tif 000002
【特許請求の範囲】
【請求項１】
筒状のコネクタ本体と、電気信号が入力される中心コンタクトと、前記コネクタ本体の略中心線上に前記中心コンタクトを配置する円筒状絶縁体とを備えるとともに、機器のシャーシに設けられた取付穴に取り付け可能とされている同軸コネクタであって、
前記コネクタ本体の外周面にはネジ部が形成されていると共に下端に拡径された拡径部と該拡径部の下に幅が広くされた鍔部が形成されており、さらに、前記拡径部には一部が切り取られた回り止め用のＨカット部が形成されており、該Ｈカット部の側面に上端に向かって幅が狭くなる斜面が形成されており、
前記シャーシに形成された前記拡径部の断面形状とほぼ同形状となるようカット部が形成されている取付穴に前記コネクタ本体を挿通し、挿通された前記コネクタ本体の前記ネジ部にナットを螺合して、前記鍔部と前記ナットとで前記シャーシを挟持するよう取り付けた際に、前記Ｈカット部に形成された斜面が前記取付穴の前記カット部に喰い込むようにされていることを特徴とする同軸コネクタ。
【請求項２】
前記鍔部の裏面から突出されてアース端子が形成されており、該アース端子の根本にＲ部が形成されていることを特徴とする請求項１記載の同軸コネクタ。
【発明の詳細な説明】
【技術分野】
【０００１】
本発明は、ＣＡＴＶなどにおける電気信号を伝送するための分配器や分波器などの機器の入力端子あるいは出力端子として用いられ、同軸ケーブルの先端に設けられた同軸プラグが連結される同軸コネクタに関する。
【背景技術】
【０００２】
高周波の電気信号を扱う機器のシャーシに、その入力端子／出力端子として同軸コネクタが取り付けられるが、従来の同軸コネクタの構成を示す斜め前方からみた斜視図を図１０に、斜め後方からみた斜視図を図１１に示す。
これらの図に示す同軸コネクタ１００は、金属製とされた円筒状のコネクタ本体１１０を備え、コネクタ本体１１０の外周面にはネジ部１１０ａが形成されており、下端には拡径された拡径部１１２が形成されている。この拡径部１１２には、同軸コネクタ１００をシャーシに取り付けた際に回り止めとなるカット部１１２ａが、相向かう側面の一部をカットするように形成されている。拡径部１１２の下には六角形状の鍔部１１１が形成されており、鍔部１１１の裏面からは一対の細い棒状のアース端子１１１ａが突出するよう形成されている。また、鍔部１１１のほぼ中央には円形の貫通孔が形成されており、この貫通孔から金属製の中心コンタクト１２０の接続片が導出されている。円筒状のコネクタ本体１１０には、全体にわたり挿通孔１１０ｂが形成されており、挿通孔１１０ｂ内には円筒状絶縁体１３０が嵌挿されている。この円筒状絶縁体１３０内に中心コンタクト１２０が収納されて、中心コンタクト１２０がコネクタ本体１１０のほぼ中心線上に配置されている。なお、円筒状絶縁体１３０の前面には貫通孔が形成されており、同軸コネクタ１００に同軸プラグを装着した際に同軸プラグの中心導体が貫通孔を貫通して中心コンタクト１２０に挟持されることにより、同軸プラグが同軸コネクタ１００に電気的に接続されるようになる。
【発明の開示】
【発明が解決しようとする課題】
【０００３】
従来の同軸コネクタ１００を分配器や分波器などの機器の筐体とされるシャーシ金具１５０へ取り付けた際の構成を図１２ないし図１４に示す。図１２はシャーシ金具１５０へ同軸コネクタ１００を取り付けた構成を断面図で示す側面図であり、図１３はシャーシ金具１５０へ同軸コネクタ１００を取り付けた構成を示す下面図であり、図１４はプリント基板１６０を備えるシャーシ金具１５０へ同軸コネクタ１００を取り付けた構成を示す正面図である。
同軸コネクタ１００が取り付けられるシャーシ金具１５０には、図１４に示すように拡径部１１２の断面形状と同形状で若干大きくした取付穴１５１が形成されている。取付穴１５１には相向かう辺に互いに平行な平行カット部１５１ａが形成されている。このシャーシ金具１５０の取付穴１５１に内側から同軸コネクタ１００のコネクタ本体１１０を挿通し、拡径部１１２のカット部１１２ａを取付穴１５１の平行カット部１５１ａに嵌合する。そして、取付穴１５１から突出したコネクタ本体１１０のネジ部１１０ａにナット１４０を螺合しねじ込んでいく。ナット１４０をネジ部１１０ａに螺着した状態が図１２に示されており、鍔部１１１とナット１４０とによりシャーシ金具１５０が挟持されて同軸コネクタ１００がシャーシ金具１５０に取り付けられるようになる。この際に、拡径部１１２のカット部１１２ａが取付穴１５１の平行カット部１５１ａに当接して、コネクタ本体１１０はシャーシ金属１５０に対して回り止めされる。この場合のナット１４０に与える締め付けトルクは、例えば約２．５Ｎ・ｍとされている。また、シャーシ金具１５０の内側には同軸コネクタ１００のアース端子１１１ａと中心コンタクト１２０の接続片１２０ｂが突出するようになる。突出したアース端子１１１ａと接続片１２０ｂはシャーシ金具１５０内に収納されたプリント基板１６０にハンダ付けされる。
【０００４】
このようにシャーシ金具１５０に取り付けられた同軸コネクタ１００には同軸プラグが装着されるが、装着される際にコネクタ本体１１０のネジ部１１０ａに同軸プラグに形成されたネジ部が螺着される。すると、同軸プラグが同軸コネクタ１００に螺着される際にその締め付けトルクが大きい場合は、同軸コネクタ１００に回転トルクが印加されて図１３に示すように拡径部１１２のカット部１１２ａの一端が取付穴１５１の平行カット部１５１ａに圧接されるまで同軸コネクタ１００が回転してしまうようになる。これにより、破線で囲って示すようにカット部１１２ａと平行カット部１５１ａとの間にくさび上の隙間１５０ｂが生じるようになる。この場合、図１４に示すように六角形状の鍔部１１１が回転されることから、鍔部１１１から突出して形成されているアース端子１１１ａも回転してしまい、アース端子１１１ａがハンダ付けされているプリント配線がプリント基板１６０から剥がれて切断されたり、アース端子１１１ａが折れてしまうという問題点があった。
【０００５】
そこで、本発明は同軸プラグが螺着された際に極力回転することのない構成の同軸コネクタを提供することを目的としている。
【課題を解決するための手段】
【０００６】
上記目的を達成するために、本発明の同軸コネクタは、コネクタ本体の外周面にネジ部が形成されていると共に下端に拡径された拡径部と該拡径部の下に形成された幅が広くされた鍔部を備えており、この拡径部には一部が切り取られた回り止め用のＨカット部が形成され、該Ｈカット部の側面に上端に向かって幅が狭くなる斜面が形成されていることを最も主要な特徴としている。
【発明の効果】
【０００７】
本発明は、コネクタ本体の外周面にネジ部が形成されていると共に下端に拡径された拡径部と該拡径部の下に形成された幅が広くされた鍔部を備えており、この拡径部には一部が切り取られた回り止め用のＨカット部が形成され、該Ｈカット部の側面に上端に向かって幅が狭くなる斜面が形成されていることから、シャーシに形成された取付穴にコネクタ本体を挿通し、挿通されたコネクタ本体のネジ部にナットを螺合して、鍔部とナットとでシャーシを挟持するよう取り付けた際に、Ｈカット部に形成された斜面が取付穴のカット部に喰い込むようになる。これにより、拡径部と取付穴との間のガタがなくなって、同軸プラグが螺着された際にほとんど回転することのない同軸コネクタとすることができるようになる。
【発明を実施するための最良の形態】
【０００８】
本発明の実施例の同軸コネクタの構成を図１ないし図３に示す。図１は本発明にかかる同軸コネクタの構成を示す斜め前方からみた斜視図であり、図２は同軸コネクタの構成を示す斜め後方からみた斜視図であり、図３は同軸コネクタの構成を示す分解組立図である。
これらの図に示す同軸コネクタ１は、金属製とされた円筒状のコネクタ本体１０を備え、コネクタ本体１０の外周面にはネジ部１０ａが形成されており、下端には拡径された拡径部１２が形成されている。この拡径部１２には、同軸コネクタ１をシャーシ金具に取り付ける際に回り止めとなる一対のＨカット部１２ａが、相向かう側面の一部をカットするように形成されている。また、一対のＨカット部１２ａの側面はコネクタ本体１０の上端に向かって幅が狭くなるよう斜面が形成されている。この拡径部１２の高さが約０．８ｍｍとされた際に、斜面の角度が下端と上端とで約０．２ｍｍ幅が狭くなるような角度とされている。拡径部１２の下には六角形状の鍔部１１が形成されており、鍔部１１の裏面からは一対の細い棒状のアース端子１１ａが突出するよう形成されている。このアース端子１１ａの根本にはアース端子１１ａの折損を防止するＲ部１１ｂが形成されている。また、鍔部１１のほぼ中央には円形の貫通孔が形成されており、この貫通孔から金属製の中心コンタクト２０の細長い平板状の接続片が導出されている。
【０００９】
円筒状のコネクタ本体１０には、全体にわたり挿通孔１０ｂが形成されており、挿通孔１０ｂ内に円筒状絶縁体３０が嵌挿されており、この円筒状絶縁体３０内に中心コンタクト２０が収納されて、中心コンタクト２０がコネクタ本体１０のほぼ中心線上に配置されている。円筒状絶縁体３０は、図３に示すように筒状の筒状部本体３０ａを有し、筒状部本体３０ａの上部には円形の環状突部３０ｂが形成されており、筒状部本体３０ａの下部外周面の相向かう位置に第１突部３０ｄと第２突部３０ｅとが一対ずつ形成されている。また、筒状部本体３０ａのほぼ中心線に沿って中心コンタクト２０が収納されている。環状突部３０ｂのほぼ中心には貫通孔３０ｃが形成されている。このような構成の円筒状絶縁体３０をコネクタ本体１０の挿通孔１０ｂ内に挿通すると、図示しないがコネクタ本体１０の下部内周面に相向かうように形成されている下に向かって幅が拡がる三角形状の突部の側面に第１突部３０ｄおよび第２突部３０ｅが当接して、所定の向きで筒状部本体３０ａがコネクタ本体１０内に嵌挿されるようになる。これにより、同軸コネクタ１を組み立てた際に中心コンタクト２０の細長い平板状の接続片の向きが常に一定となる。このように、第１突部３０ｄと第２突部３０ｅとは位置決め片として作用する。
【００１０】
そして、第２突部３０ｅと第１突部３０ｄとの間にコネクタ本体１０の下部内周面に形成されている図示しないリング状突部が係合することにより、円筒状絶縁体３０がコネクタ本体１０に固着されるようになる。この際に、挿通孔１０ｂの径とほぼ同じ径に形成された環状突部３０ｂがコネクタ本体１０の挿通孔１０ｂの前面を塞ぐようになる。
このように構成された同軸コネクタ１をシャーシ金具に取り付けて、同軸コネクタ１に同軸プラグを装着すると、同軸プラグの中心導体が環状突部３０ｂの貫通孔３０ｃ内を貫通して中心コンタクト２０の挟持片２０ａにより挟持されるようになる。これにより、同軸プラグと同軸コネクタ１とが電気的に接続される。
【００１１】
次に、本発明にかかる同軸コネクタ１をシャーシ金具に取り付ける様子を斜視図で図４に示す。シャーシ金具５０は分配器や分波器などの機器を構成する筐体を構成している。
図４に示すように、同軸コネクタ１が取り付けられるシャーシ金具５０には、コネクタ本体１０の拡径部１２の上端における断面形状と同形状で若干大きくした取付穴５１が同軸コネクタ１を取り付ける数だけ形成されている。取付穴５１には相向かう辺に互いに平行な平行カット部５１ａが形成されている。このシャーシ金具５０の取付穴５１に内側から同軸コネクタ１のコネクタ本体１０を挿通し、拡径部１２のＨカット部１２ａを取付穴５１の平行カット部５１ａに嵌合する。そして、取付穴５１から突出したコネクタ本体１０のネジ部１０ａにナット４０を螺合しねじ込んでいく。
【００１２】
このシャーシ金具５０に同軸コネクタ１を取り付ける中途の取付状態の構成を断面図で図５に示す。
図５に示すように拡径部１２のＨカット部１２ａの先端が取付穴５１の平行カット部５１ａに当接するようになる。図５の下面図をナット４０を省略して図６に示すが図６に破線で囲って示されるように、拡径部１２のＨカット部１２ａの先端が取付穴５１の平行カット部５１ａにガタが生じることなく当接するようになる。この状態において、ナット４０に工具を用いて締め付けトルクを与えてコネクタ本体１０のネジ部１０ａに螺着していくと、拡径部１２のＨカット部１２ａの斜面が取付穴５１の平行カット部５１ａに喰い込んでいき、鍔部１１とナット４０とによりシャーシ金具５０が挟持されて同軸コネクタ１がシャーシ金具５０に取り付けられるようになる。
【００１３】
このシャーシ金具５０に同軸コネクタ１を取り付けた取付状態の構成を断面図で図７に示す。図７に示すように拡径部１２のＨカット部１２ａの斜面が取付穴５１の平行カット部５１ａに喰い込んで平行カット部５１ａの側面がＨカット部１２ａの斜面に密着するよう若干変形するようになる。図７の下面図をナット４０を省略して図８に示すが図８に破線で囲って示されるように、拡径部１２のＨカット部１２ａの斜面が取付穴５１の平行カット部５１ａにガタが生じることなく喰い込むようになる。このように、拡径部１２のＨカット部１２ａの斜面の全面が取付穴５１の平行カット部５１ａの側面に密着するため、ナット４０の締め付けトルクを従来より大きくすることができる。このようにナット４０の締め付けトルクを大きくすることができると共に、ガタが生じることなく同軸コネクタ１を取付穴５１に取り付けられることから、同軸コネクタ１に同軸プラグを装着する際に同軸コネクタ１に回転トルクが印加されても同軸コネクタ１はシャーシ金具５０に対してほとんど回転しないようになる。
【００１４】
ここで、プリント基板６０を備えるシャーシ金具５０に同軸コネクタ１を取り付けた際の構成を示す正面図を図９に示す。
鍔部１１とナット４０とによりシャーシ金具５０が挟持されて同軸コネクタ１がシャーシ金具５０に取り付けられる。シャーシ金具５０の内側には同軸コネクタ１の六角形状の鍔部１１から突出しているアース端子１１ａと中心コンタクト２０の接続片２０ｂが突出するようになる。突出したアース端子１１ａと接続片２０ｂはシャーシ金具５０内に収納されたプリント基板６０のプリント配線にハンダ付けされる。この場合、同軸コネクタ１に同軸プラグを装着する際に同軸コネクタ１に回転トルクが印加されても同軸コネクタ１はシャーシ金具５０に対してほとんど回転しないことから、アース端子１１ａがハンダ付けされているプリント配線がプリント基板６０から剥がれて切断されてしまうことを防止することができる。さらに、アース端子１１ａの根本に形成されたＲ部１１ｂの作用によりアース端子１１ａが折れてしまうことを防止することができる。
【産業上の利用可能性】
【００１５】
以上説明した本発明にかかる同軸コネクタは、ＣＡＴＶなどにおける電気信号を伝送するための分配器、分波器や中継増幅器などの機器や、テレビ放送や衛星放送のチューナや受信器などの機器における入力端子あるいは出力端子として用いることができる。
また、同軸コネクタに形成した斜面を有するＨカット部は一対に限らず、拡径部の１カ所に形成してもまた３つ以上形成しても良い。また、Ｈカット部は直線状の辺とされているが、回り止めおよび取付穴のカット部に喰い込む作用を奏する他の形状の辺（例えば、くの字状や鋸歯状）としてもよい。
以上の説明では、拡径部の高さが約０．８ｍｍとされた際に、斜面の角度が下端と上端とで約０．２ｍｍ幅が狭くなるような角度としたが、本発明はこれに限るものではなく、拡径部の高さやシャーシ金具の材質により斜面の角度を決めることができる。この場合の角度は、Ｈカット部が取付穴のカット部に喰い込めばいかなる角度としても良い。
【図面の簡単な説明】
【００１６】
【図１】本発明の実施例にかかる同軸コネクタの構成を示す斜め前方からみた斜視図である。
【図２】本発明の実施例にかかる同軸コネクタの構成を示す斜め後方からみた斜視図である。
【図３】本発明の実施例にかかる同軸コネクタの構成を示す分解組立図である。
【図４】本発明の実施例にかかる同軸コネクタをシャーシ金具に取り付ける様子を示す斜視図である。
【図５】本発明の実施例にかかる同軸コネクタをシャーシ金具に取り付ける中途の取付状態の構成を示す断面図である。
【図６】本発明の実施例にかかる同軸コネクタをシャーシ金具に取り付ける中途の取付状態の構成をナットを省略して示す下面図である。
【図７】本発明の実施例にかかる同軸コネクタをシャーシ金具に取り付けた取付状態の構成を示す断面図である。
【図８】本発明の実施例にかかる同軸コネクタをシャーシ金具に取り付けた取付状態の構成をナットを省略して示す下面図である。
【図９】本発明の実施例にかかる同軸コネクタをプリント基板を備えるシャーシ金具に取り付けた際の構成を示す正面図である。
【図１０】従来の同軸コネクタの構成を示す斜め前方からみた斜視図である。
【図１１】従来の同軸コネクタの構成を示す斜め後方からみた斜視図である。
【図１２】従来の同軸コネクタをシャーシ金具へ取り付けた構成を断面図で示す側面図である。
【図１３】従来の同軸コネクタをシャーシ金具へ取り付けた構成をナットを省略して示す下面図である。
【図１４】従来の同軸コネクタをプリント基板を備えるシャーシ金具に取り付けた構成を示す正面図である。
【符号の説明】
【００１７】
１  同軸コネクタ、１０  コネクタ本体、１０ａ  ネジ部、１０ｂ  挿通孔、１１  鍔部、１１ａ  アース端子、１１ｂ  Ｒ部、１２  拡径部、１２ａ  カット部、２０  中心コンタクト、２０ａ  挟持片、２０ｂ  接続片、３０  円筒状絶縁体、３０ａ  筒状部本体、３０ｂ  環状突部、３０ｃ  貫通孔、３０ｄ  第１突部、３０ｅ  第２突部、４０  ナット、５０  シャーシ金具、５１  取付穴、５１ａ  平行カット部、６０  プリント基板、１００  同軸コネクタ、１１０  コネクタ本体、１１０ａ  ネジ部、１１０ｂ  挿通孔、１１１  鍔部、１１１ａ  アース端子、１１２  拡径部、１１２ａ  カット部、１２０  中心コンタクト、１２０ｂ  接続片、１３０  円筒状絶縁体、１４０  ナット、１５０  シャーシ金具、１５０  シャーシ金属、１５０ｂ  隙間、１５１  取付穴、１５１ａ  平行カット部、１６０  プリント基板
【図１】
2008282706.tif 000003
【図２】
2008282706.tif 000004
【図３】
2008282706.tif 000005
【図４】
2008282706.tif 000006
【図５】
2008282706.tif 000007
【図６】
2008282706.tif 000008
【図７】
2008282706.tif 000009
【図８】
2008282706.tif 000010
【図９】
2008282706.tif 000011
【図１０】
2008282706.tif 000012
【図１１】
2008282706.tif 000013
【図１２】
2008282706.tif 000014
【図１３】
2008282706.tif 000015
【図１４】
2008282706.tif 000016